(57)【要約】【課題】本発明の課題は、安定性に優れ且つ使い勝手の良いラック装置を提供することである。【解決手段】画像読取装置１０を載せる載置板３と、この載置板３の左右に設けて載置板３を支える支柱５、６と、それぞれの支柱５、６の下端から長手方向を前後にして載置板３と略平行に設けるベース材７、９とからなるラック装置１であって、ベース材７、９の前後の各端部には床面に対するすわりを良くするための補助部材１１、１３を設けるようにした。【選択図】　図１
2004097335.tif 000002
【特許請求の範囲】
【請求項１】
電子機器を載せる載置板と、載置板の左右に設けて載置板を支える支柱と、各支柱の下端から長手方向を前後にして載置板と略平行に設けるベース材とからなるラック装置であって、ベース材の前後の各端部には床面に対するすわりを良くする補助部材を設けたことを特徴とするラック装置。
【請求項２】
補助部材は、ベース材の一端部を中心として半径方向に向けて突出しており、少なくとも前側の補助部材は水平方向に回転自在であることを特徴とする請求項１に記載のラック装置。
【請求項３】
補助部材の少なくとも一部が左右のベース材間で且つベース材の長手方向に対して略直角方向に固定可能であることを特徴とする請求項２に記載のラック装置。
【発明の詳細な説明】
【０００１】
【発明の属する技術分野】
本発明は、電子機器を載せるラック装置に関するものである。
【０００２】
【従来の技術】
従来、画像形成装置などの電子機器においては、健常者の操作性の観点から地上から約１ｍ程度の高さに操作パネルを設置している。しかし、車椅子を使用している人にとって、その高さは操作性の悪いものとなっていた。また、車椅子に乗ったまま操作パネルを操作する場合に、前向きの方向で操作しようとすると、脚載せ部分がじゃまになり、車椅子を横向きに方向転換した状態でパネル操作をする必要があった。
【０００３】
一方、画像形成装置の下部に、車椅子の足乗せ部分が当たらないように空間を設けたものがある（例えば、特許文献１参照）。
【０００４】
【特許文献１】
特開平６―１４８９６０号公報
【０００５】
【発明が解決しようとする課題】
上述の公報に開示された従来技術では、車椅子の使用者は、車椅子を装置本体に近づけ、空間に足載せ部分を入れることで、使用者の体と操作パネルの位置を近づけ、パネル操作ができるようにしている。しかし、装置の構成上、車椅子の足載せ部分が入るために十分なスペースを設けることができず、さらに近づいて読取装置に原稿をセットしたりすることができなかった。
【０００６】
これに対して、画像形成装置を画像形成部と画像読取部とに分離し、画像読取部を載置板とベース材とを有するラック装置に置くことが考えられる。しかし、載置板の下に広くスペースを取る必要があるので、支柱を設ける際に制限がかかりラック装置の安定性が充分でなくなるおそれがあった。また、安定性を取るためにベース材の幅を広くすることが考えられるが別途スペースが必要となり、使い勝手が悪くなるおそれがあった。
【０００７】
そこで、本発明は安定性に優れ且つ使い勝手の良いラック装置を提供することを目的とする。
【０００８】
【課題を解決するための手段】
請求項１に記載の発明は、電子機器を載せる載置板と、載置板の左右に設けて載置板を支える支柱と、各支柱の下端から長手方向を前後にして載置板と略平行に設けるベース材とからなるラック装置であって、ベース材の前後の各端部には床面に対するすわりを良くする補助部材を設けたことを特徴とする。
【０００９】
この請求項１に記載の発明では、載置板とベース材とを有するラック装置であって、ベース材の前後の各端部には床面に対するすわりを良くする補助部材を設けたので、安定性に優れたラック装置を提供できる。載置板の下に広くスペースを取ることができるので、このスペースを有効に使うことができる。また、補助部材を設けるだけなので、ベース材の幅を広くする必要がなく、使い勝手の良いラック装置を提供できる。
【００１０】
特に、車椅子の使用者が利用する際に、足載せ部分を載置板の下のスペースに入れることで、車椅子をより近づけることができ、電子機器の操作を容易に行うことができる。
【００１１】
請求項２に記載の発明は、請求項１に記載の発明において、補助部材は、ベース材の一端部を中心として半径方向に向けて突出しており、少なくとも前側の補助部材は水平方向に回転自在であることを特徴とする。
【００１２】
この請求項２に記載の発明では、請求項１に記載の発明と同様の作用効果を奏するとともに、両ベース材の内側に補助部材が出ないようにすることで、載置板の下に別途装置を置く場合にじゃまにならず、スペースを有効に使うことができる。また、ラック装置の隣の位置に壁や装置等の障害があった場合には、補助部材を障害にならない位置まで回転させることで、壁との間に隙間ができず、スペースの有効活用を図ることができる。
【００１３】
請求項３に記載の発明は、請求項２に記載の発明において、補助部材の少なくとも一部が左右のベース材間で且つベース材の長手方向に対して略直角方向に固定可能であることを特徴とする。
【００１４】
この請求項３に記載の発明では、請求項２に記載の発明と同様の作用効果を奏するとともに、車椅子の利用者がいる場合は、補助部材の突出部分を動かして、ベース材に対して略直角方向の位置で固定する。このように、補助部材の突出部分が車椅子の前輪止めになるので、車椅子を適切な位置に止めることができ、車椅子の利用者が快適な作業環境を得ることができる。
【００１５】
【発明の実施の形態】
以下、本発明の実施の形態を図面に基づいて説明する。図１は本実施の形態に係るラック装置の一例を示す斜視図、図２は図１に係るラック装置を示す斜視図、図３は図１に係るラック装置を示す横断面図、図４は図１に係るラック装置の支柱とベース部材との接合部分を示す斜視図、図５は図１に係るラック装置の補助部材を示す横断面図である。図６は図１に係るラック装置において車椅子の利用者が使用している状態を示す側面図である。
【００１６】
本実施の形態に係るラック装置１は、載置板３と、この載置板３を支え且つ背面側に設ける支柱５、６と、床上に設けられるベース材７、９とからなる。本実施の形態では、画像形成装置１００を画像形成部２０と画像読取部１０とに分離しており、画像読取部１０を載置板３上に載せ、ラック装置１の隣に画像形成部２０を置いている。
【００１７】
載置板３は、平面視が長方形状であり、載置板３の背面側の支柱５、６に固定支持されている。支柱５、６には上下の横材と竪材とが補強材として設けられている。
【００１８】
ベース材７、９は各支柱５，６の下端から長手方向を前後にして載置板３と略平行に設けられている。ベース材７，９の後端には背面側ベース材１２を設けて補強している。また、支柱５とベース材７の接合部分には図４に示すような略三角形状の補強板１５、１７、１９が設けられており、補強板１５の内、第１の補強板１５は床面と平行に設けられており、一方の辺はベース材７に接合しており、他方の辺は背面側ベース材１２に接合している。第２の補強板１７は、一方の辺がベース材７に、他方の辺は支柱５に接合している。第３の補強板１７は、一方の辺が背面側ベース材１２に、他方の辺は支柱５に接合している。また、補強板１５、１７、１９は対向する位置の支柱６とベース材９の接合部分にも同様な補強板が設けられている。補強板１５を設けることで、支柱５、６とベース部材７、９との接合を強くすることができ、載置板３に重い重量の電子機器を載せた場合でも、ラック装置１が壊れにくい。
【００１９】
ベース材７、９の前後の各端部には補助部材１１、１３を設けており、床面に対するすわりを良くしている。補助部材１１、１３はベース材７、９の一端部を中心として半径方向に向けて突出しており、２つの部材で断面略Ｌ字状を成している。このように、補助部材１１、１３を設け、断面略Ｌ字状の部材の一端部がベース材７、９の中心から離れた位置にあるので、ラック装置１の安定性が向上する。
【００２０】
また、前側の補助部材１１はベース材７、９の一端を中心に水平方向に回転自在である。このように、補助部材１１、１３が水平方向に回転自在なので、両ベース材７、９の内側に補助部材１１、１３が出ないようにすることで、載置板３の下に別途装置を置く場合にじゃまにならず、スペースを有効に使うことができる。また、ベース材７、９の後端側に取り付ける補助部材１３は、本実施の形態では固定しているが、前側の補助部材１１と同じように回転自在に設けても良い。
【００２１】
次に、上記した構成に基づき、本実施の形態の作用を説明する。特に車椅子３０の使用者が載置板３の上の画像読取部１０を使用する場合には、図６及び図７に示すように、車椅子３０を動かして載置板３の下部のスペースに膝が入るまで、車椅子３０を移動させる。そして、車椅子３０に乗ったまま画像読取部１０のカバーを開いて原稿台の上に原稿を載せて、パネル操作でコピーを行う。
【００２２】
このように本実施の形態に係るラック装置１は、背面側にのみ支柱５，６を設けているので、載置板３の下部にスペースを広く取ることができ、車椅子３０の足載せ部分がこのスペースに入り、車椅子３０の利用者の体をより画像読取部１０近づけることができるので、各操作を容易に行うことができる。
【００２３】
また、ラック装置１にはベース材７、９に補助部材１１、１３を設けたので、ベース材７、９と床面との接点を多くすることで安定性に優れ、地震や接触等の衝撃によるラックの転倒を防止できる。
【００２４】
車椅子３０の利用者がいる場合は、前側の補助部材１１の突出部分を動かして、ベース材７、９に対して略直角方向の位置で固定する。このように、補助部材１１の突出部分が車椅子３０の前輪止めになるので、車椅子３０を適切な位置に止めることができ、車椅子３０の利用者は快適な作業環境を得ることができる。また、ベース材７、９と補助部材１１との間で前輪の動きが規制されるので、車椅子３０がぐらつかず利用者は快適な作業環境を得ることができる。
【００２５】
本発明は、上述のようなの実施の形態に限定されず、その要旨を逸脱しない範囲内において種々の変形が可能である。例えば、補助部材１１、１３の形状を平面視が略Ｌ字状としたが、これに限定されず、略Ｖ字状や、略一直線状であっても良い。
【００２６】
補助部材１１、１３を２本突出させて平面視が略Ｌ字状にしたが、３本以上にしても良い。
【００２７】
また、ラック装置１の載置板３上に載せる電子機器として、画像形成装置１００の読取装置１０としたが、プリンタやファクシミリ、パーソナルコンピュータ等を載せるようにしても良い。
【００２８】
【発明の効果】
請求項１に記載の発明では、載置板とベース材とを有するラック装置であって、ベース材の前後の各端部には床面に対するすわりを良くする補助部材を設けたので、安定性に優れたラック装置を提供できる。載置板の下に広くスペースを取ることができるので、このスペースを有効に使うことができる。また、補助部材を設けるだけなので、ベース材の幅を広くする必要がなく、使い勝手の良いラック装置を提供できる。
【００２９】
請求項２に記載の発明では、請求項１に記載の発明と同様の効果を奏するとともに、両ベース材の内側に補助部材が出ないようにすることで、載置板の下に別途装置を置く場合にじゃまにならず、スペースを有効に使うことができる。また、ラック装置の隣の位置に壁や装置等の障害があった場合には、補助部材を障害にならない位置まで回転させることで、壁との間に隙間ができず、スペースの有効活用を図ることができる。
【００３０】
請求項３に記載の発明では、請求項２に記載の発明と同様の効果を奏するとともに、車椅子の利用者がいる場合は、補助部材の突出部分を動かして、ベース材に対して略直角方向の位置で固定する。このように、補助部材の突出部分が車椅子の前輪止めになるので、車椅子を適切な位置に止めることができ、車椅子の利用者が快適な作業環境を得ることができる。
【図面の簡単な説明】
【図１】本実施の形態に係るラック装置の一例を示す斜視図である。
【図２】図１に係るラック装置を示す斜視図である。
【図３】図１に係るラック装置を示す横断面図である。
【図４】図１に係るラック装置の支柱とベース部材との接合部分を示す斜視図である。
【図５】図１に係るラック装置の補助部材を示す横断面図である。
【図６】図１に係るラック装置において車椅子の利用者が使用している状態を示す側面図である。
【図７】図６に係るラック装置を示す横断面図である。
【符号の説明】
１　　　　　　ラック装置
３　　　　　　載置板
５、６　　　　支柱
７、９　　　　ベース材
１１、１３　　補助部材
１００　　　　画像読取装置（電子機器）
【図１】
2004097335.tif 000003
【図２】
2004097335.tif 000004
【図３】
2004097335.tif 000005
【図４】
2004097335.tif 000006
【図５】
2004097335.tif 000007
【図６】
2004097335.tif 000008
【図７】
2004097335.tif 000009